(57)【要約】【課題】路面の劣化の進行を検出できる。【解決手段】路面状況検出プログラムは、道路の地点毎に第一の劣化度を取得し、第一の劣化度が所定値よりも悪い劣化の状態を示す劣化地点を特定する処理をコンピュータに実行させる。また、路面状況検出プログラムは、第一の劣化度とは異なる方式で道路の地点毎に第二の劣化度を取得する際に、特定した劣化地点については、第二の劣化度を取得する際の測定感度を増加させる処理をコンピュータに実行させる。【選択図】図４
2018060427.tif 000002
【特許請求の範囲】
【請求項１】
コンピュータに、
道路の地点毎に第一の劣化度を取得し、
第一の劣化度が所定値よりも悪い劣化の状態を示す劣化地点を特定し、
前記第一の劣化度とは異なる方式で道路の地点毎に第二の劣化度を取得する際に、特定した前記劣化地点については、第二の劣化度を取得する際の測定感度を増加させる
処理を実行させることを特徴とする路面状況検出プログラム。
【請求項２】
前記測定感度を増加させる処理が、前記劣化地点について、前記測定感度を増加させた後の第二の測定感度を用いて取得された前記第二の劣化度が所定の条件に合致するか否かを判定し、その他の前記道路の地点について、前記測定感度を増加させる前の第一の測定感度を用いて取得された前記第二の劣化度が所定の条件に合致するか否かを判定し、各地点における前記判定の結果を示す情報と、前記劣化地点の位置を示す情報とを出力することを特徴とする請求項１に記載の路面状況検出プログラム。
【請求項３】
前記測定感度を増加させる処理が、前記測定感度の下限値を低く設定することを特徴とする請求項１又は２に記載の路面状況検出プログラム。
【請求項４】
前記測定感度を増加させる処理が、前記所定の条件に合致する値の範囲が狭くなるように前記測定感度を設定することを特徴とする請求項２に記載の路面状況検出プログラム。
【請求項５】
前記測定感度を増加させる処理が、特定された前記劣化地点において、前記第一の測定感度を用いて取得された前記第二の劣化度が所定の条件に合致するか否かをさらに判定し、前記第一の測定感度を用いて取得された前記第二の劣化度が所定の条件に合致する前記劣化地点と、前記第二の測定感度を用いて取得された前記第二の劣化度のみが所定の条件に合致する前記劣化地点とを区別して、前記劣化地点の位置を示す情報に重畳して出力することを特徴とする請求項２に記載の路面状況検出プログラム。
【請求項６】
前記測定感度を増加させる処理が、所定の時点より前に前記劣化地点において取得された前記第二の劣化度と、所定の時点より後に前記劣化地点において取得された前記第二の劣化度とを比較することを特徴とする請求項１乃至５のいずれか１つに記載の路面状況検出プログラム。
【請求項７】
前記測定感度を増加させる処理が、前記第一の劣化度とは質が異なる劣化度を用いて、前記第二の劣化度を取得することを特徴とする請求項１乃至６のいずれか１つに記載の路面状況検出プログラム。
【請求項８】
前記第一の劣化度を取得する処理が、前記道路の地点における路面のひび割れ度合いを取得し、
前記測定感度を増加させる処理が、前記第一の劣化度とは質が異なる劣化度として、前記道路の地点における路面の平坦度を用いて、前記第二の劣化度を取得する
ことを特徴とする請求項７に記載の路面状況検出プログラム。
【請求項９】
道路の地点毎に第一の劣化度を取得する第一劣化度取得部と、
第一の劣化度が所定値よりも悪い劣化の状態を示す劣化地点を特定する劣化地点特定部と、
前記第一の劣化度とは異なる方式で道路の地点毎に第二の劣化度を取得する際に、特定した前記劣化地点については、第二の劣化度を取得する際の測定感度を増加させる第二劣化度取得部と
を有することを特徴とする路面状況検出装置。
【発明の詳細な説明】
【技術分野】
【０００１】
本発明は、路面状況検出プログラム及び路面状況検出装置に関する。
【背景技術】
【０００２】
道路の路面状況を点検する際に、車両に揺れを検出するセンサを取り付けて道路を走行して路面の凹凸を検出し、一定値以上のセンサの値を検出した場所は道路の舗装が劣化していると判定することで、舗装の劣化を検出する技術がある。このような揺れを検出するセンサとしては、例えば、加速度センサが挙げられる。
【先行技術文献】
【特許文献】
【０００３】
【特許文献１】特開２０１５−７５９３４号公報
【発明の概要】
【発明が解決しようとする課題】
【０００４】
上記の技術では、センサの測定値の検出感度を上げることにより、より微細な路面の凹凸を検出できるが、凹凸の誤検出の頻度も高くなる。一方で、上記の技術において、センサの測定値の検出感度が低すぎると、劣化が進行するまで路面の凹凸を検出できなくなる場合がある。
【０００５】
一つの側面では、路面の劣化の進行を検出できる路面状況検出プログラム及び路面状況検出装置を提供することを目的とする。
【課題を解決するための手段】
【０００６】
一つの態様において、路面状況検出プログラムは、道路の地点毎に第一の劣化度を取得し、第一の劣化度が所定値よりも悪い劣化の状態を示す劣化地点を特定する処理をコンピュータに実行させる。また、路面状況検出プログラムは、第一の劣化度とは異なる方式で道路の地点毎に第二の劣化度を取得する際に、特定した劣化地点については、第二の劣化度を取得する際の測定感度を増加させる処理をコンピュータに実行させる。
【発明の効果】
【０００７】
一つの態様によれば、路面の劣化の進行を検出できるという効果を奏する。
【図面の簡単な説明】
【０００８】
【図１】図１は、背景技術における路面状況の検出結果表示画面の一例を示す図である。
【図２】図２は、背景技術における路面状況の検出結果表示画面の別の一例を示す図である。
【図３】図３は、実施例１における路面状況の検出結果表示画面の一例を示す図である。
【図４】図４は、実施例１における路面状況検出装置の機能ブロックの一例を示す図である。
【図５】図５は、実施例１における基準値ＤＢの一例を示す図である。
【図６】図６は、実施例１におけるひび割れＤＢの一例を示す図である。
【図７】図７は、実施例１における凹凸ＤＢの一例を示す図である。
【図８】図８は、実施例１における判定結果ＤＢの一例を示す図である。
【図９】図９は、路面状況検出処理の一例を示すフローチャートである。
【図１０】図１０は、実施例２における路面状況の検出結果表示画面の一例を示す図である。
【図１１】図１１は、実施例３における基準値ＤＢの一例を示す図である。
【図１２】図１２は、実施例３における判定結果ＤＢの一例を示す図である。
【図１３】図１３は、路面状況検出装置のハードウェア構成例を示す図である。
【発明を実施するための形態】
【０００９】
以下に、本願の開示する路面状況検出プログラム及び路面状況検出装置の実施例を図面に基づいて詳細に説明する。なお、この実施例によりこの発明が限定されるものではない。また、以下に示す各実施例は、矛盾を起こさない範囲で適宜組み合わせても良い。
【実施例１】
【００１０】
路面の劣化の判定基準としては、例えば路面の平坦性、ひび割れ率、わだち掘れ量などが知られている。以下においては、路面のひび割れ率と平坦性とを用いて、路面の劣化を検出する方法について説明する。なお、各区間におけるひび割れ率は、例えば各区間の路面を撮影した画像を、公知の画像解析技術等を用いて分析することにより特定される。また、路面の平坦性は、例えば加速度センサを搭載した車両を用いて、走行中に路面の凹凸に応じて生じる縦方向の加速度の変化の大きさを測定することにより検出される。
【００１１】
［出力結果の例］
まず、本実施例における路面状況検出プログラムによる出力結果について、図１乃至図３を用いて、背景技術と比較しながら説明する。図１は、背景技術における路面状況の検出結果表示画面の一例を示す図である。図１は、始点１００１から終点１１０１までの道路を対象とした路面状況の検出結果を出力した画面１０００の一例を示す。
【００１２】
図１において、始点１００１から終点１１０１までの道路は、１００ｍごとに区分される。図１における始点１００１から終点１１０１の間の枠は、それぞれ区分された１００ｍの区間を示す。本プログラムの利用者は、表示された出力結果を参照して、路面の手当てが望まれる区間を特定する。
【００１３】
また、図１において、区間１２１１から区間１３１１までの模様が付された枠は、ひび割れが生じていると判定された区間を示し、それ以外の白抜きされた枠は、ひび割れが生じていると判定されなかった区間を示す。なお、以下の説明においては、例えば特定されたひび割れ率が所定の閾値以上である場合に、ひび割れが生じていると判定されるものとし、ひび割れが検出されてもひび割れ率が所定の閾値未満である場合は、ひび割れが生じていると判定されないものとする。
【００１４】
例えば、ひび割れが生じていると判定された区間においては、手当てが遅れると、路面の損傷が急速に深刻化する可能性が高いことが知られている。また、路面の修理コストは、路面の損傷の深刻化に応じて高騰する。したがって、路面の修理コストを軽減するには、ひび割れが生じていると判定された区間においては、路面の凹凸が小さく、低い測定感度では路面の劣化として検出されない場合においても、路面の損傷が深刻化する前に早期の手当てを行うことが望ましい。
【００１５】
一方、ひび割れが生じていると判定されなかった区間においては、直ちに手当をしなくとも路面の損傷が急速に深刻化する可能性が低い。したがって、ひび割れが生じていると判定されなかった区間については、修理コストを軽減するために、路面の凹凸が大きくなってから手当てを行うことが考えられる。
【００１６】
図１は、背景技術において、後述する図２で用いる測定感度よりも低い測定感度を用いて路面の劣化を測定した場合における検出結果の一例を示す。低い測定感度を用いた場合、例えば測定された加速度が所定の値よりも大きい路面の凹凸のみが路面の劣化として検出され、測定された加速度が所定の値よりも小さい場合は、路面の凹凸が生じていても路面の劣化として検出されない。
【００１７】
図１において、例えば区間１３１１及び区間１４１１に付された印「◆」は、低い測定感度において路面の劣化が検出された区間であることを示す。一方、例えば低い測定感度において路面の劣化が検出されない区間については、区間１２１１及び区間１５１１並びに区間１６１１に示すように印「◆」が付されていない。しかし、印「◆」が付されていない区間においても、低い測定感度においては路面の劣化としては検出されないような小さな路面の凹凸が生じている場合がある。
【００１８】
例えば区間１５１１のようにひび割れが生じていると判定された区間においては、低い測定感度においては路面の劣化としては検出されない小さな路面の凹凸が生じている場合であっても、早期の手当てが望まれる。しかし、背景技術においては、ひび割れが生じていると判定されたか否かにかかわらず、低い測定感度を用いた場合には路面の劣化が検出されないときは印「◆」が表示されない。この場合においては、例えば区間１２１１から区間１３１１までのひび割れが生じていると判定された区間において、早期の手当てが望まれる区間があることを利用者が見落とすおそれがある。すなわち、図１に示すような例においては、路面の劣化度の変化の検出に漏れが生じる可能性が高い。
【００１９】
次に、背景技術において、前述した図１で用いた測定感度よりも高い測定感度を用いて路面の劣化を測定した場合における検出結果の一例について説明する。図２は、背景技術における路面状況の検出結果表示画面の別の一例を示す図である。図２において、例えば区間１６１１に付された印「●」は、高い測定感度において路面の劣化が検出された区間であることを示す。
【００２０】
図２に示すように、高い測定感度を用いて路面の劣化を測定した場合、図１において印「◆」が付された区間１３１１に加えて、例えば区間１５１１にも印「●」が表示される。これにより、出力結果を参照した利用者は、区間１５１１も早期の手当てが望まれる区間であることを認識することができる。
【００２１】
一方で、例えば区間１６１１に示すように、ひび割れが生じていると判定されず、かつ低い測定感度においては路面の劣化が検出されなかった、早期の手当てが重要ではない区間についても、区間１５１１と同様に印「●」が表示される。これにより、出力結果を参照した利用者は、区間１６１１についても、早期の手当てが望まれる区間であると誤認するおそれがある。すなわち、図２に示すような例においては、路面の劣化度の変化の検出にノイズが生じる可能性が高い。
【００２２】
次に、本実施例における検出結果の一例について説明する。図３は、実施例１における路面状況の検出結果表示画面の一例を示す図である。図３において、例えば区間１５１１に付された印「□」は、ひび割れが生じていると判定された区間において、高い測定感度において路面の劣化が検出された区間であることを示す。また、図１と同様に、ひび割れが生じていると判定されなかった区間においても、例えば区間１４１１のように低い測定感度において路面の劣化が検出された区間については、印「◆」が付される。一方、図３において、ひび割れが生じていると判定された区間についても、高い測定感度において路面の劣化が検出されない場合は、区間１２１１に示すようにいずれの印も付されない。
【００２３】
図３に示す例においては、ひび割れが生じていると判定され、かつ低い測定感度では劣化が検出されないが、高い測定感度では劣化が検出される区間１５１１に印「□」が付される。一方、図３に示す例においては、高い測定感度では劣化が検出されるが、ひび割れが生じていると判定されなかった区間１６１１には印が付されない。これにより、利用者は、本実施例における検出結果を見て、早期の手当てが望まれる区間と、それ以外の区間とを容易に識別することができる。
【００２４】
このように、本実施例における路面状況検出装置は、ひび割れが検出された箇所において、路面の凹凸を示す加速度に基づく路面の劣化の測定感度を上げるので、早期の手当てが望まれる区間であるか否かを利用者に容易に識別させることができる。
【００２５】
［機能ブロック］
次に、本実施例における機能構成について説明する。図４は、実施例１における路面状況検出装置の機能ブロックの一例を示す図である。図４に示すように、本実施例における路面状況検出装置１００は、ネットワークＮを通じて、ひび割れ検出装置２００と、凹凸検出装置３００と相互に通信可能に接続される。また、本実施例における路面状況検出装置１００は、表示装置４００に接続される。なお、本実施例における路面状況検出装置１００、ひび割れ検出装置２００、凹凸検出装置３００及び表示装置４００の数は、それぞれ図示された数に限られない。
【００２６】
図４に示すひび割れ検出装置２００は、路面の画像を撮影して解析することにより、路面のひび割れ率を特定する装置である。ひび割れ検出装置２００は、路面の画像を公知の画像解析技術等を用いて分析することにより、路面のひび割れ率を特定する。ひび割れ検出装置２００は、例えば、路面のひび割れ率に関する情報を、路面状況検出装置１００による要求に基づいて出力する。ひび割れ検出装置２００は、例えば撮影機能を有するコンピュータにより実現され、公知の自動車等の路面を走行する移動体に実装されるが、これに限定されない。なお、ひび割れ率に関する情報は、第一の劣化度の一例である。
【００２７】
図４に示す凹凸検出装置３００は、路面の平坦性を示す情報として、加速度センサを用いて路面の凹凸の大きさを測定する装置である。凹凸検出装置３００は、例えば、路面の凹凸が大きくなるほど、高い加速度を検出する。凹凸検出装置３００は、例えば、１００ｍの区間において検出された加速度の平均値を算出し、路面状況検出装置１００による要求に基づいて出力する。凹凸検出装置３００は、例えば加速度センサを有するスマートフォンなどの携帯端末により実現され、公知の自動車等の路面を走行する移動体に実装されるが、これに限定されない。
【００２８】
図４に示す表示装置４００は、路面状況検出装置１００から出力される情報を表示させる装置である。表示装置４００は、例えば液晶ディスプレイなどの出力装置により実現される。
【００２９】
次に、図４に示す路面状況検出装置１００の機能ブロックについて説明する。図４に示すように、路面状況検出装置１００は、通信部１１０、出力部１１１、記憶部１２０、制御部１３０を有する。なお、路面状況検出装置１００は、コンピュータ等の機器により実現され、図４に示す機能部以外にも既知のコンピュータが有する各種の機能部、例えば各種の入力デバイスや音声出力デバイス等の機能部を有することとしてもかまわない。
【００３０】
通信部１１０は、有線や無線を問わず、ネットワークＮを経由して、ひび割れ検出装置２００及び凹凸検出装置３００との間の通信を制御する。出力部１１１は、制御部１３０から出力された情報を、表示装置４００に表示させる。
【００３１】
記憶部１２０は、例えば制御部１３０が実行するプログラム、各種データなどを記憶する。また、記憶部１２０は、基準値ＤＢ１２１、ひび割れＤＢ１２２、凹凸ＤＢ１２３及び判定結果ＤＢ１２４を有する。記憶部１２０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００３２】
基準値ＤＢ１２１は、路面の凹凸を示す加速度と、路面の早期の手当てが望まれる度合いを示す危険度とを関連付けて記憶する。図５は、実施例１における基準値ＤＢの一例を示す図である。図５に示すように、基準値ＤＢ１２１は、基準値「Ａ」と「Ｂ」とを、「危険度」に対応付けて記憶する。なお、基準値ＤＢ１２１に記憶される情報は、例えば、予め路面状況検出装置１００の利用者、管理者等により入力される。また、基準値「Ａ」は測定感度を増加させる前の第一の測定感度の一例であり、基準値「Ｂ」は測定感度を増加させた後の第二の測定感度の一例である。
【００３３】
図５における「危険度」は、数字が大きくなるほど、早期の路面の手当てが望まれることを示す。なお、本実施例においては、符号２０００に示す「危険度３」以上であると判定された区間を、路面の手当てが望まれる「要点検区間」であると判定する例について説明する。なお、「危険度」は、第二の劣化度の一例である。
【００３４】
図５において、「Ａ」は、ひび割れが生じていると判定されなかった路面において、加速度から危険度を特定するために用いられる基準を示す。また、図５において、「Ｂ」は、ひび割れが生じていると判定された路面において、加速度から危険度を特定するために用いられる基準を示す。なお、図５において、「Ａ」欄及び「Ｂ」欄の「ｘ−ｙ」は、加速度が「ｘＧ超」であり、かつ「ｙＧ以下」であることを示す。例えば、「０−０．５Ｇ」は、加速度が「０Ｇより大きく、かつ０．５Ｇ以下」であることを示す。
【００３５】
図５に示すように、「Ａ」及び「Ｂ」において、「危険度１」の下限値はともに「０Ｇ」である。しかし、「危険度１」の上限値は、「Ａ」においては「１．０Ｇ」であるのに対し、「Ｂ」においては「０．５Ｇ」となっている。同様に、「Ｂ」においては、「危険度２」乃至「危険度４」の上限値及び下限値が、「Ａ」における各危険度の上限値及び下限値より小さく設定されている。
【００３６】
次に、ひび割れＤＢ１２２は、ひび割れ率に基づく情報と、路面の区間を示す地点とに関する情報を関連付けて記憶する。図６は、実施例１におけるひび割れＤＢの一例を示す図である。図６に示すように、ひび割れＤＢ１２２は、「地点」と、「ひび割れ」とを対応付けて記憶する。また、ひび割れＤＢ１２２に記憶される情報は、例えば後述する第一劣化度取得部１３１により入力される。
【００３７】
図６において、ひび割れ「有」は、例えば第一劣化度取得部１３１により取得されたひび割れ率が所定の閾値以上であることを示し、ひび割れ「無」は、取得されたひび割れ率が所定の閾値未満であることを示す。したがって、実際にはひび割れが検出されている区間についても、ひび割れＤＢ１２２にひび割れ「無」が記憶される場合がある。なお、所定の閾値は、所定値の一例である。
【００３８】
例えば、図６の符号３０００に示すように、ひび割れＤＢ１２２は、「０．７ｋｍ」地点に始まる区間から、「１．４ｋｍ」地点に始まる区間までの間においては、ひび割れ率が所定の閾値以上であるのでひび割れが生じていると判定されたことを記憶する。また、図６に示すように、ひび割れＤＢ１２２は、その他の地点に始まる区間においては、ひび割れ率が所定の閾値未満であるのでひび割れが生じていると判定されなかったことを記憶する。
【００３９】
次に、凹凸ＤＢ１２３は、各区間における路面の凹凸の大きさを示す加速度と、路面の区間を示す地点とに関する情報を関連付けて記憶する。図７は、実施例１における凹凸ＤＢの一例を示す図である。図７に示すように、凹凸ＤＢ１２３は、「地点」と、「加速度」とを対応付けて記憶する。なお、凹凸ＤＢ１２３に記憶される情報は、例えば後述する第二劣化度取得部１３３により入力される。
【００４０】
例えば、図７の符号４０００に示すように、凹凸ＤＢ１２３は、「１．２ｋｍ」地点に始まる区間から、「１．５ｋｍ」地点に始まる区間までの間においては、加速度が「２．０Ｇ」以上であることを記憶する。
【００４１】
次に、判定結果ＤＢ１２４は、各区間におけるひび割れに関する情報及び平坦性に関する情報に基づいて判定された危険度、及び危険度を判定するために特定された途中経過に関する情報を記憶する。図８は、実施例１における判定結果ＤＢの一例を示す図である。図８に示すように、判定結果ＤＢ１２４は、「地点」と、「ひび割れ」と、「基準」と、「加速度」と、「危険度」とを対応付けて記憶する。なお、判定結果ＤＢ１２４に記憶される情報は、例えば後述する劣化地点特定部１３２及び第二劣化度取得部１３３により入力される。
【００４２】
図８において、「ひび割れ」は、ひび割れＤＢ１２２に記憶されているひび割れの有無に関する情報を記憶する。また、図８において、「加速度」は、平坦性に関する情報として、凹凸ＤＢ１２３に記憶されている加速度の大きさに関する情報を記憶する。
【００４３】
図８において、「基準」は、危険度の判定に用いられる基準を記憶する。図８に示すように、判定結果ＤＢ１２４は、例えば、「ひび割れ」が「無」である区間について「Ａ」を記憶し、「ひび割れ」が「有」である区間について「Ｂ」を記憶する。
【００４４】
図８において、「危険度」は、「基準」と「加速度」とに基づいて特定された危険度を記憶する。例えば、判定結果ＤＢ１２４は、符号５０００に示す危険度については、図５に示す基準値「Ｂ」を用いて特定された危険度を記憶する。また、符号５１００は、基準値が「Ａ」及び「Ｂ」のいずれかにかかわらず、危険度が「３」以上である区間を示す。
【００４５】
図４に戻って、制御部１３０は、路面状況検出装置１００の全体的な処理を司る処理部であり、例えばプロセッサなどである。この制御部１３０は、第一劣化度取得部１３１、劣化地点特定部１３２、第二劣化度取得部１３３を有する。なお、第一劣化度取得部１３１、劣化地点特定部１３２、第二劣化度取得部１３３は、プロセッサが有する電子回路の一例やプロセッサが実行するプロセスの一例である。
【００４６】
第一劣化度取得部１３１は、ひび割れ率に関する情報を取得する。具体的には、第一劣化度取得部１３１は、通信部１１０を経由して、ひび割れ検出装置２００からひび割れ率に関する情報を受信すると、受信した情報と地点とを対応付けてひび割れＤＢ１２２に格納する。第一劣化度取得部１３１は、例えば図６に示すようなひび割れの「有」又は「無」に関する情報をひび割れＤＢ１２２に記憶する。
【００４７】
劣化地点特定部１３２は、ひび割れの有無に関する情報を用いて、路面が劣化している地点を特定する。具体的には、劣化地点特定部１３２は、各地点におけるひび割れの有無に関する情報をひび割れＤＢ１２２から取得する。次に、劣化地点特定部１３２は、ひび割れが生じていると判定されなかった地点については基準値「Ａ」を設定し、ひび割れが生じていると判定された地点については基準値「Ｂ」を設定する。そして、劣化地点特定部１３２は、設定された基準を、判定結果ＤＢ１２４に記憶する。
【００４８】
第二劣化度取得部１３３は、路面の凹凸の大きさに関する情報を取得し、危険度を特定する。具体的には、第二劣化度取得部１３３は、通信部１１０を経由して、凹凸検出装置３００から路面の凹凸の大きさを示す加速度に関する情報を受信すると、受信した情報と、加速度が検出された地点とを対応付けて凹凸ＤＢ１２３に格納する。
【００４９】
また、第二劣化度取得部１３３は、劣化区間であるか否かを示す情報に基づいて、第二劣化度を取得する際に用いる測定感度を設定する。具体的には、第二劣化度取得部１３３は、判定結果ＤＢ１２４に記憶された基準に対応する基準値を基準値ＤＢ１２１から読み出す。そして、第二劣化度取得部１３３は、読み出された基準値を用いて、凹凸ＤＢ１２３に記憶された加速度に関する情報から危険度を特定する。
【００５０】
例えば、第二劣化度取得部１３３が、「０．８ｋｍ」地点から始まる区間について危険度を特定する処理について説明する。まず、第二劣化度取得部１３３は、判定結果ＤＢ１２４を参照して、測定感度として「Ｂ」を設定する。次に、第二劣化度取得部１３３は、凹凸ＤＢ１２３に記憶された加速度「１．１Ｇ」が、基準値ＤＢ１２１の「Ｂ」における「１．０Ｇ−１．５Ｇ」に含まれることから、危険度が「危険度３」であることを特定する。
【００５１】
また、第二劣化度取得部１３３が、「０．６ｋｍ」地点から始まる区間について危険度を特定する場合、第二劣化度取得部１３３は、判定結果ＤＢ１２４を参照して、測定感度として「Ａ」を設定する。次に、第二劣化度取得部１３３は、凹凸ＤＢ１２３に記憶された加速度「０．９Ｇ」が、基準値ＤＢ１２１の「Ａ」における「０Ｇ−１．０Ｇ」に含まれることから、危険度が「危険度１」であることを特定する。
【００５２】
［処理の流れ］
図９は、路面状況検出処理の一例を示すフローチャートである。なお、路面状況検出装置１００は、例えば、利用者によるデータ取得要求を受信することにより、路面状況検出処理を開始する。
【００５３】
図９に示すように、路面状況検出装置１００の第一劣化度取得部１３１は、処理が開始されると、通信部１１０を通じて、ひび割れ検出装置２００からひび割れ率に関するデータを取得する（Ｓ１０１）。そして、第一劣化度取得部１３１は、ひび割れＤＢ１２２にひび割れの有無に関する情報を記憶する。続いて、劣化地点特定部１３２は、記憶されたひび割れの有無に関するデータに基づいて、劣化区間を特定する（Ｓ１０３）。
【００５４】
次に、第二劣化度取得部１３３は、通信部１１０を通じて、凹凸検出装置３００から路面の平坦性を示す凹凸データとして、例えば加速度を取得する（Ｓ１０５）。次に、第二劣化度取得部１３３は、ある区間の路面の凹凸データを選択する（Ｓ１０７）。
【００５５】
そして、第二劣化度取得部１３３は、選択された区間が劣化区間に該当するか否かを判定する（Ｓ１１１）。第二劣化度取得部１３３は、選択された区間が劣化区間に該当しないと判定された場合（Ｓ１１１：Ｎｏ）、測定感度として基準値「Ａ」を設定する（Ｓ１１３）。一方、第二劣化度取得部１３３は、選択された区間が劣化区間に該当すると判定された場合（Ｓ１１１：Ｙｅｓ）、測定感度として基準値「Ｂ」を設定する（Ｓ１１５）。そして、第二劣化度取得部１３３は、設定された基準値と凹凸データとを用いて、危険度を特定する（Ｓ１１７）。
【００５６】
次に、第二劣化度取得部１３３は、当該区間において特定された危険度が、所定の危険度以上であるか否かを判定する（Ｓ１２１）。第二劣化度取得部１３３は、所定の危険度以上であると判定された場合（Ｓ１２１：Ｙｅｓ）、当該区間を要点検区間に設定する（Ｓ１２３）。一方、第二劣化度取得部１３３は、所定の危険度以上であると判定されなかった場合（Ｓ１２１：Ｎｏ）、Ｓ１３１に移行する。
【００５７】
そして、第二劣化度取得部１３３は、全ての区間について判定が終了したか否かを判定する（Ｓ１３１）。第二劣化度取得部１３３は、全ての区間について判定が終了していないと判定された場合（Ｓ１３１：Ｎｏ）、Ｓ１０７に戻って処理を繰り返す。一方、第二劣化度取得部１３３は、全ての区間について判定が終了したと判定された場合（Ｓ１３１：Ｙｅｓ）、出力部１１１に判定結果を出力させる（Ｓ１４１）。
【００５８】
例えば、図６に示す区間１５１１については、Ｓ１１１において、区間１５１１は劣化区間に該当するため、基準値「Ｂ」が設定される。また、Ｓ１１７において、「危険度３」が特定される。また、Ｓ１２１において、「危険度３」は所定の条件を上回ると判定されるので、区間１５１１は要点検区間に設定される。このような処理を、図６における全ての区間について繰り返し実行した結果、例えば図３に示すような判定結果が出力される。
【００５９】
［効果］
このように、路面状況検出装置１００は、ひび割れの有無に応じて測定感度を変更するので、路面の劣化の進行の検出の際に生じる漏れやノイズを軽減することができる。
【実施例２】
【００６０】
さて、これまで本発明の実施例について説明したが、本発明は上述した実施例以外にも、種々の異なる形態にて実施されてよいものである。例えば、ひび割れが生じていると判定された地点について、低い測定感度でも路面の劣化を検出できるか、高い測定感度であれば路面の劣化を検出できるか、又は高い測定感度をもってしても路面の劣化を検出できないかを区別して出力するよう実現してもよい。
【００６１】
例えば、ひび割れが生じていると判定され、かつ低い測定感度では路面の劣化を検出でないが高い測定感度であれば路面の劣化を検出できる区間については、路面の劣化が深刻化する可能性が高いと考えられる。このような区間が判別できれば、利用者は、該当区間を要点検区間ではなく要経過観察区間として指定し、路面の劣化が深刻化する可能性が高い区間について測定頻度を高くする等の対策をとることができる。
【００６２】
本実施例における検出結果の一例について説明する。図１０は、実施例２における路面状況の検出結果表示画面の一例を示す図である。図１０において、例えば区間２５１１に示すように、ひび割れが生じていると判定された区間において、低い測定感度では路面の劣化が検出されないが、高い測定感度において路面の劣化が検出された区間には、印「☆」が付される。一方、同様にひび割れが生じている区間であっても、例えば区間２３１１に示すように、低い測定感度においても路面の劣化が検出された区間については、印「★」が付される。
【００６３】
このように、路面の劣化が検出される測定感度の違いに応じて出力される内容を変更することにより、利用者に対して、路面の劣化の状況をより詳細に認識させることができる。なお、実施の形態はこれに限られず、例えば「危険度４」ならば「※」、「危険度５」ならば「×」のように、検出された危険度の大きさに応じて出力される内容を変更するよう実現してもよい。
【実施例３】
【００６４】
前述した各実施例においては、測定された加速度の大きさに基づいて路面の劣化を検出する例について説明したが、実施の形態はこれに限られない。例えば、時点の異なる２つの加速度を取得し、加速度の変化率に基づいて路面の劣化を検出するような構成であってもよい。
【００６５】
本実施例においては、基準値として、加速度の変化率の範囲を用いる点が実施例１とは異なる。図１１は、実施例３における基準値ＤＢの一例を示す図である。図１１に示すように、本実施例における基準値ＤＢ５２１は、「危険度」と、基準値「Ａ」及び「Ｂ」とを対応付けて記憶する点は、実施例１における基準値ＤＢ１２１と同様である。
【００６６】
図１１に示すように、本実施例においては、「Ａ」における「危険度１」の下限値は「１１０％」であるのに対し、「Ｂ」における「危険度１」の下限値は「１００％」である。すなわち、本実施例においては、基準値における下限値を下げることにより、危険度の測定感度を高めている。なお、本実施例においても、符号８０００に示す「危険度３」以上の区間が「要点検区間」であると判定される例について説明する。
【００６７】
次に、本実施例における路面状況検出装置５００の機能ブロックについて説明する。図示しない路面状況検出装置５００は、図４に示す記憶部１２０及び制御部１３０の代わりに、記憶部５２０及び制御部５３０を有する。記憶部５２０は、後述する基準値ＤＢ５２１、図示しないひび割れＤＢ１２２及び凹凸ＤＢ１２３、並びに後述する判定結果ＤＢ５２４を有する。また、制御部５３０は、第一劣化度取得部１３１、劣化地点特定部１３２を有し、また第二劣化度取得部１３３の代わりに第二劣化度取得部５３３を有する。
【００６８】
次に、本実施例における路面状況の判定結果について説明する。図１２は、実施例３における判定結果ＤＢの一例を示す図である。図１２に示すように、本実施例の判定結果ＤＢ５２４は、「地点」と、「ひび割れ」と、「基準」と、「危険度」とを記憶する点は、実施例１における判定結果ＤＢ１２４と同様である。一方、本実施例の判定結果ＤＢ５２４は、「前回加速度」と、「今回加速度」と、「増減率」とを対応付けて記憶する点が、実施例１における判定結果ＤＢ１２４と異なる。
【００６９】
図１２において、「前回加速度」は、所定の時点より前に取得された加速度を示し、「今回加速度」は、所定の時点より後に取得された加速度を示す。また、「増減率」は、「今回加速度」が、「前回加速度」に比べてどれだけ増加したか又は減少したかを示す。なお、本実施例においては、「前回加速度」には実施例１の図８に示す「加速度」が記憶され、新たに取得された加速度が「今回加速度」に記憶される。
【００７０】
例えば、符号９０００及び９１００に示す各区間は、図８に示す路面状況の判定結果において、「危険度３」以上であると特定された区間である。図１２においては、かかる区間において路面の修理がされ、路面の凹凸を示す加速度が減少している。また、符号９０００に示す区間においては、路面のひび割れも解消している。このような場合において、本実施例における第二劣化度取得部５３３は、例えば符号９１００に示す区間において、図１１に示す基準値ＤＢ５２１を参照し、基準値「Ａ」及び増減率「２２％」を用いて「危険度０」を特定する。
【００７１】
一方、符号９２００に示すように、「０．６ｋｍ」から始まる区間においては、前回加速度の「０．９Ｇ」から「１．０Ｇ」に加速度が増加し、また新たにひび割れが生じている。このような場合において、第二劣化度取得部５３３は、図１１に示す基準値ＤＢ５２１を参照し、基準値「Ｂ」及び増減率「１１１％」を用いて「危険度３」を特定する。同様に、本実施例においては、符号９３００に示す区間において、「危険度３」以上であることが特定される。
【００７２】
このように特定された危険度は、図１乃至３と同様に、危険度を示す印を付されて出力される。このように、加速度の変化率に応じて路面の劣化を検出し、検出結果を出力することにより、例えば、加速度そのものは大きくはないものの、路面の凹凸が急激に大きくなっている場合など、劣化の進行状況を踏まえて路面の劣化を検出することができる。例えば、路面の凹凸の検出は、ひび割れの検出と比べて小さなコストで実施できるため、繰り返し検出を実施することにより、劣化の進行状況を容易に検出することができる。
【実施例４】
【００７３】
さて、これまで本発明の実施例について説明したが、本発明は上述した実施例以外にも、種々の異なる形態にて実施されてよいものである。
【００７４】
例えば、ひび割れ率に基づいて設定された、ひび割れの有無に関する情報を用いる構成について説明したが、これに限られず、ひび割れ検出装置２００から取得したひび割れ率に応じて、ひび割れ度合いを段階的に設定するよう実現してもよい。例えば、第一劣化度取得部１３１が、取得したひび割れ率が「５％」未満である場合にはひび割れＤＢ１２２に「１」を記憶し、ひび割れ率が「２０％」以上である場合にはひび割れＤＢ１２２に「３」を記憶するような構成であってもよい。また、第一劣化度取得部１３１が、取得したひび割れ率をそのままひび割れＤＢ１２２に記憶するような構成であってもよい。このように実現することにより、ひび割れ率に応じて、測定感度をより細かく設定することができる。
【００７５】
また、平坦性に関する情報として、路面の凹凸に応じて検出される加速度を用いる構成について説明したが、実施の形態はこれに限られない。例えば、凹凸検出装置３００が、レーザー等を用いて路面の凹凸の大きさを検出することにより、路面の平坦性を特定するような構成であってもよい。また、第二劣化度取得部１３３が、目視により判定された路面の平坦性の入力を受け付けるような構成であってもよい。
【００７６】
また、図５において、基準値における「危険度１」の下限値を変更せずに、各危険度における上限値及び下限値の幅を変更する構成について説明したが、実施の形態はこれに限られない。例えば、図１１に示すように、「危険度１」の下限値を変更してもよく、下限値と、各危険度における上限値及び下限値の幅との両方を変更するような構成であってもよい。
【００７７】
また、基準値ＤＢ１２１が基準値を１つだけ記憶し、ひび割れが検出された区間について、要点検区間の対象とする危険度の範囲を拡大し、又は取得された加速度のデータを加工するような構成であってもよい。例えば、ひび割れが生じていると判定されていない区間については「危険度３」以上を要点検区間として特定するのに対し、ひび割れが生じていると判定された区間については「危険度１」以上を要点検区間として特定するよう実現してもよい。また、第二劣化度取得部１３３が、加速度のデータに所定の値を乗じ若しくは所定の値を加算し、又は取得された加速度のデータをべき乗してもよい。このように基準値を設定することにより、路面の劣化の度合いや、劣化の進行度合いを適切に検出することができる。
【００７８】
また、路面状況検出装置１００の第一劣化度取得部１３１が路面のひび割れの有無に関する情報をひび割れＤＢ１２２に記憶する構成について説明したが、実施の形態はこれに限られない。例えば、異なるタイミングで取得され、又は目視などの異なる方法により判定されたひび割れの有無に関する情報が、予めひび割れＤＢ１２２に記憶されているような構成であってもよい。
【００７９】
なお、第一劣化度と、第二劣化度の取得に用いられる劣化度とは、例えば、ひび割れのように画像解析により検出される劣化度と、路面の凹凸のように加速度センサを用いて検出される劣化度とのように、相互に質が異なる劣化度であるが、これらに限られない。例えば、わだち掘れ量、超音波センサを用いて検出される路面内部の状態を示す値、路面の舗装に含まれる成分やｐｈ度、又は路面の傾斜など、その他の値を劣化度として組み合わせて用いるような構成であってもよい。このように、質が異なる劣化度を組み合わせることにより、路面の劣化の進行の検出の際に生じる漏れやノイズを軽減することができる。
【００８０】
［システム］
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８１】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。例えば、ひび割れＤＢ１２２と凹凸ＤＢ１２３とを統合してもよく、また第二劣化度取得部１３３を、加速度を取得する処理部と第二劣化度を特定する処理部とに分散してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８２】
［ハードウェア構成］
図１３は、路面状況検出装置のハードウェア構成例を示す図である。図１３に示すように、路面状況検出装置１００は、通信インタフェース２０１、ＨＤＤ（Hard  Disk  Drive）２０２と、メモリ２０３、プロセッサ２０４、入出力インタフェース２０５を有する。
【００８３】
通信インタフェース２０１は、各機能部の説明時に示した通信部１１０に該当し、例えばネットワークインタフェースカードなどである。ＨＤＤ２０２は、各機能部の説明時に示した処理部を動作させるプログラムやＤＢ等を記憶する。
【００８４】
プロセッサ２０４は、各機能部の説明時に示した各処理部と同様の処理を実行するプログラムをＨＤＤ２０２等から読み出してメモリ２０３に展開することで、図４等で説明した各機能を実行するプロセスを動作させる。すなわち、このプロセスは、路面状況検出装置１００が有する第一劣化度取得部１３１、劣化地点特定部１３２、第二劣化度取得部１３３と同様の機能を実行する。入出力インタフェース２０５は、各機能部の説明時に示した出力部１１１に該当する。
【００８５】
このように路面状況検出装置１００は、プログラムを読み出して実行することで、路面状況検出方法を実行する情報処理装置として動作する。また、路面状況検出装置１００は、媒体読取装置によって記録媒体から上記プログラムを読み出し、読み出された上記プログラムを実行することで上記した実施例と同様の機能を実現することもできる。なお、この他の実施例でいうプログラムは、路面状況検出装置１００によって実行されることに限定されるものではない。例えば、他のコンピュータまたはサーバがプログラムを実行する場合や、これらが協働してプログラムを実行するような場合にも、本発明を同様に適用することができる。
【符号の説明】
【００８６】
１００、５００  路面状況検出装置
１１０  通信部
１１１  出力部
１２０、５２０  記憶部
１２１、５２１  基準値ＤＢ
１２２  ひび割れＤＢ
１２３  凹凸ＤＢ
１２４、５２４  判定結果ＤＢ
１３０、５３０  制御部
１３１  第一劣化度取得部
１３２  劣化地点特定部
１３３、５３３  第二劣化度取得部
２００  ひび割れ検出装置
３００  凹凸検出装置
４００  表示装置
【図１】
2018060427.tif 000003
【図２】
2018060427.tif 000004
【図３】
2018060427.tif 000005
【図４】
2018060427.tif 000006
【図５】
2018060427.tif 000007
【図６】
2018060427.tif 000008
【図７】
2018060427.tif 000009
【図８】
2018060427.tif 000010
【図９】
2018060427.tif 000011
【図１０】
2018060427.tif 000012
【図１１】
2018060427.tif 000013
【図１２】
2018060427.tif 000014
【図１３】
2018060427.tif 000015